(57)【特許請求の範囲】
【請求項１】
遊技球を払い出す払出動作を行うことが可能な払出機構部と、該払出機構部により払い出される遊技球を検出することが可能な近接センサと、を備え、
払出条件の成立に基づき前記払出機構部に払出動作を行わせるとともに、前記近接センサから入力される信号に基づき払出動作を停止させることが可能な遊技機において、
前記近接センサの近傍に配設され、異常な電波が照射されたことを検出することが可能な異常検出用センサと、
前記異常検出用センサから入力される信号に基づいて、異常が発生したか否かを判定することが可能な異常判定手段と、
前記異常判定手段によって異常が発生したと判定されたことに基づいて、エラー報知を実行することが可能なエラー報知手段と、
前記異常判定手段の判定結果に基づいて、前記払出機構部による払出動作の実行を許可または規制することが可能な払出規制手段と、を備え、
前記異常判定手段は、当該遊技機への電源投入時および前記払出動作の実行中に異常が発生したか否かを判定する一方、前記払出動作の非実行時には異常が発生したか否かを判定しないように構成され、
前記払出規制手段は、当該遊技機への電源投入時に異常が発生していないと判定されたことに基づき前記払出動作の実行を許可し、前記払出動作の実行中に異常が発生したと判定されたことに基づき当該払出動作の実行を規制することを特徴とする遊技機。
【請求項２】
前記払出機構部と前記近接センサとを備えて払出装置を構成し、該払出装置を払出収納部へ装着可能とし、
前記異常検出用センサの検出部により検出可能な被検出ダミー体を備え、
前記異常検出用センサは、前記被検出ダミー体を検出していることを意味する検出信号と、被検出ダミー体を検出していないことを意味する非検出信号とを送出可能であり、当該異常検出用センサの検出部に異常な電波を外方から照射されて受けると前記非検出信号を送出し、
前記払出装置または前記払出収納部の一方には、前記異常検出用センサを前記検出部が露出する状態で設け、他方には、前記払出収納部と前記払出装置とを係止するための可撓性係止片を前記異常検出用センサの前記検出部を被覆可能な状態で設け、
前記可撓性係止片は、前記払出収納部と前記払出装置とを係止する係止状態と、該係止状態を解除する係止解除状態とに変換可能であり、
前記可撓性係止片のうち前記異常検出用センサの前記検出部を被覆可能な箇所には前記被検出ダミー体を設け、
前記払出収納部内に前記払出装置を予め定められた正常収納状態で収納するとともに前記可撓性係止片を前記係止状態へ変換すると、前記異常検出用センサが前記検出部により前記被検出ダミー体を検出して前記検出信号を送出し、
前記払出収納部内に前記払出装置を前記正常収納状態とは異なる異常収納状態で収納すると、前記可撓性係止片が前記係止解除状態から前記係止状態への変換を規制され、前記異常検出用センサが前記検出部により前記被検出ダミー体を検出せず前記非検出信号を送出するように構成されていることを特徴とする請求項１に記載の遊技機。
【発明の詳細な説明】
【技術分野】
【０００１】
本発明は、遊技球を払い出す払出動作を行うことが可能な払出機構部と、該払出機構部により払い出される遊技球を検出することが可能な近接センサと、を備え、払出条件の成立に基づき前記払出機構部に払出動作を行わせるとともに、前記近接センサから入力される信号に基づき払出動作を停止させることが可能なパチンコ遊技機等の遊技機に関する。
【背景技術】
【０００２】
従来より、金属製の遊技球の通過による磁束の変化を検出して遊技球を検出する電磁誘導式（磁気式）近接センサを備え、このセンサにより、入賞口への遊技球の入賞の検出や賞球や球貸し時に払い出される遊技球の検出を行うようにした遊技機が知られている。このような遊技機においては、遊技機に向けて電波を照射して不正に遊技球を排出させてしまう不正行為が行われることがあった。具体的には、例えば、払出条件が成立しているときに電磁誘導式近接センサ（排出センサ）に電波を照射すると、遊技球が当該センサの検出部を通過しているにもかかわらず、球が通過していないことを示す信号を出力する状態が不正に形成されてしまう。
【０００３】
このような場合には、払出装置（排出装置）では、規定数の払い出しが行われないことから、リトライ動作を繰り返すことで、次々に遊技球が払い出されてしまうので、結果的に規定数以上の遊技球が不正に払い出されてしまうこととなる。そこで、このような不正を防止するために、外部から照射される電波を遮断するようなシールドを設ける技術が提案されている（例えば、特許文献１または特許文献２参照）。
【先行技術文献】
【特許文献】
【０００４】
【特許文献１】特開平０９−１４９９６０号公報
【特許文献２】実開平０３−０１８８７８号公報
【発明の概要】
【発明が解決しようとする課題】
【０００５】
しかしながら、払出装置の電磁誘導式近接センサに対する不正を防止したい場合には、払出装置の全周をシールドで覆う必要があり、防止構造が大掛かりになってしまう。また、シールドに少しの隙間があるとそこを狙って電波を照射される可能性もあるし、可動部が多くあるパチンコ遊技機において、払出装置の周囲を隙間なくシールドすることは極めて困難である。さらに、パチンコ遊技機全体をシールドしても、シールドが外部から破壊される可能性もあり、完全に不正行為を防止することは困難である。
【０００６】
そこで、本発明は、上記の事情に鑑みてなされたものであり、その目的は、大掛かりな構造を設けずに、遊技球計数用の近接センサに関する異常（不正）を検知することができる遊技機を提供しようとするものである。
【課題を解決するための手段】
【０００７】
本発明は、上記目的を達成するために提案されたものであり、請求項１に記載のものは、遊技球を払い出す払出動作を行うことが可能な払出機構部と、該払出機構部により払い出される遊技球を検出することが可能な近接センサと、を備え、
払出条件の成立に基づき前記払出機構部に払出動作を行わせるとともに、前記近接センサから入力される信号に基づき払出動作を停止させることが可能な遊技機において、
前記近接センサの近傍に配設され、異常な電波が照射されたことを検出することが可能な異常検出用センサと、
前記異常検出用センサから入力される信号に基づいて、異常が発生したか否かを判定することが可能な異常判定手段と、
前記異常判定手段によって異常が発生したと判定されたことに基づいて、エラー報知を実行することが可能なエラー報知手段と、
前記異常判定手段の判定結果に基づいて、前記払出機構部による払出動作の実行を許可または規制することが可能な払出規制手段と、を備え、
前記異常判定手段は、当該遊技機への電源投入時および前記払出動作の実行中に異常が発生したか否かを判定する一方、前記払出動作の非実行時には異常が発生したか否かを判定しないように構成され、
前記払出規制手段は、当該遊技機への電源投入時に異常が発生していないと判定されたことに基づき前記払出動作の実行を許可し、前記払出動作の実行中に異常が発生したと判定されたことに基づき当該払出動作の実行を規制することを特徴とする遊技機である。
【０００８】
請求項２に記載のものは、前記払出機構部と前記近接センサとを備えて払出装置を構成し、該払出装置を払出収納部へ装着可能とし、
前記異常検出用センサの検出部により検出可能な被検出ダミー体を備え、
前記異常検出用センサは、前記被検出ダミー体を検出していることを意味する検出信号と、被検出ダミー体を検出していないことを意味する非検出信号とを送出可能であり、当該異常検出用センサの検出部に異常な電波を外方から照射されて受けると前記非検出信号を送出し、
前記払出装置または前記払出収納部の一方には、前記異常検出用センサを前記検出部が露出する状態で設け、他方には、前記払出収納部と前記払出装置とを係止するための可撓性係止片を前記異常検出用センサの前記検出部を被覆可能な状態で設け、
前記可撓性係止片は、前記払出収納部と前記払出装置とを係止する係止状態と、該係止状態を解除する係止解除状態とに変換可能であり、
前記可撓性係止片のうち前記異常検出用センサの前記検出部を被覆可能な箇所には前記被検出ダミー体を設け、
前記払出収納部内に前記払出装置を予め定められた正常収納状態で収納するとともに前記可撓性係止片を前記係止状態へ変換すると、前記異常検出用センサが前記検出部により前記被検出ダミー体を検出して前記検出信号を送出し、
前記払出収納部内に前記払出装置を前記正常収納状態とは異なる異常収納状態で収納すると、前記可撓性係止片が前記係止解除状態から前記係止状態への変換を規制され、前記異常検出用センサが前記検出部により前記被検出ダミー体を検出せず前記非検出信号を送出するように構成されていることを特徴とする請求項１に記載の遊技機である。
【発明の効果】
【００１１】
本発明によれば、異常な電波が不正目的で近接センサに照射されるという不正行為を、大掛かりな構造を必要とせずに検出することができる。
【図面の簡単な説明】
【００１２】
【図１】パチンコ遊技機の斜視図である。
【図２】（ａ）はパチンコ遊技機の背面図、（ｂ）は球払出ユニットの背面図である。
【図３】遊技盤の正面図である。
【図４】払出収納部の説明図である。
【図５】（ａ）は払出装置の上方から見た斜視図、（ｂ）は払出装置の下方から見た斜視図である。
【図６】払出装置の断面図であり、（ａ）は電磁誘導式近接センサを含む平面での断面図、（ｂ）は異常検出用センサを含む平面での断面図である。
【図７】可撓性係止片の状態を示す説明図であり、（ａ）は係止解除状態の説明図、（ｂ）は係止状態の説明図である。
【図８】制御系統の説明に供するブロック構成図である。
【図９】異常検出用センサの送出状態を示す説明図であり、（ａ）は断線発生信号を送出する状態の説明図、（ｂ）は短絡発生信号を送出する状態の説明図である。
【図１０】出力状態判定回路を示すブロック構成図である。
【図１１】メイン処理のフローチャートの前半部である。
【図１２】メイン処理のフローチャートの後半部である。
【図１３】タイマ割込み処理のフローチャートである。
【図１４】エラー監視処理のフローチャートである。
【図１５】第２実施形態における異常検出機構の説明図であり、（ａ）は異常検出用センサを備えた払出収納部の斜視図、（ｂ）は可撓性係止片を備えた払出装置の斜視図である。
【発明を実施するための形態】
【００１３】
以下、代表的な遊技機であるパチンコ遊技機を例に挙げて本発明の実施の形態を図面に基づき説明する。
パチンコ遊技機１は、図１に示すように、機枠（外枠）２の前面に、大きな矩形状開口を有する略額縁状の前面枠（内枠）３を開閉可能に軸着し、この前面枠３のベースとなる前面枠本体４に遊技盤収納枠（図示せず）を形成して矩形状の遊技盤６（図３参照）を収納し、前面枠３の前側には、一側（図１中、左側）が軸着された透明部材保持枠８を開閉可能に設け、該透明部材保持枠８に透視可能な透明部材９を保持し、透明部材９を通して遊技盤６の前面をパチンコ遊技機１の前方から透視できるように構成している。さらに、透明部材保持枠８の下方には、一側（図１中、左側）が前面枠３に軸着された上皿ユニット１１を開閉（回動）可能に設け、該上皿ユニット１１の下方には、下皿ユニット１２を上皿ユニット１１に対して左右方向にずれた位置に配置している。そして、下皿ユニット１２の一側部（図１中、右側部）には、発射装置（図示せず）を操作するための発射操作ユニット（発射操作ハンドル）１３を備え、他側部（図１中、左側部）にはスピーカー１４を備えている。さらに、透明部材保持枠８の下部には球貸スイッチ１５と返却スイッチ１６とを設け、カードユニット１７（図８参照）にプリペイドカード等の記憶媒体を挿入し、球貸スイッチ１５を操作すると、遊技球が上皿ユニット１１に排出されて貸し出され、返却スイッチ１６を操作すると、記憶媒体がカードユニット１７から返却されるように構成されている。
【００１４】
また、図２（ａ）に示すように、前面枠３の裏面側には大きな枠状の裏機構盤１８を備え、該裏機構盤１８の中央部分に略矩形状の機構盤開口部１９を開設し、遊技盤６の裏側から突出した部分を機構盤開口部１９内に配置して裏機構盤１８に干渉しないように構成されている。さらに、裏機構盤１８のうち機構盤開口部１９よりも上方の位置には、横長な球貯留ユニット（球貯留タンク）２１を備え、該球貯留ユニット２１内に遊技機島設備内の補給装置（図示せず）から補給された遊技球を貯留するとともに、この貯留した遊技球を球貯留ユニット２１から排出可能としている。そして、裏機構盤１８のうち機構盤開口部１９の側方（図２（ａ）中、右側方）には、球貯留ユニット２１から排出された遊技球を払い出すための球払出ユニット２２を配置している。また、機構盤開口部１９の下方には、球払出ユニット２２あるいは遊技盤６から流下してきた遊技球を下方へ誘導する回収誘導路（図示せず）を配置し、該回収誘導路の下流端をパチンコ遊技機１の外方へ向けて開放し、回収誘導路に誘導された遊技球をパチンコ遊技機１の外部、具体的には遊技機島設備内の球回収樋（図示せず）へ案内可能としている。さらに、該回収誘導路よりも後方の位置には、払出制御装置２５、発射制御装置２６、電源装置２７、および中継基板２８を配置している。なお、球払出ユニット２２については、後で詳細に説明する。
【００１５】
遊技盤６は、図３に示すように、当該遊技盤６のベースとなる遊技盤本体３１の表面に区画部材３２を止着して遊技球が流下可能な遊技領域３３を区画形成し、該遊技領域３３の中央部には包囲枠体（センターケース）３７を装着し、該包囲枠体３７の後方には、複数の識別情報を変動表示して変動表示ゲームを行う変動表示装置３８を配置している。また、遊技領域３３のうち包囲枠体３７の外方には、遊技領域３３を流下する遊技球が入賞可能な入賞装置を備えている。具体的には、包囲枠体３７の下方には、遊技球の入賞により変動表示ゲームの始動条件を成立させる始動入賞口４０を配置し、包囲枠体３７の左下方および右下方には、発光により各種の装飾表示を行うサイドランプ４１を配置し、該サイドランプ４１の前面側に一般入賞口４２を備え、始動入賞口４０の下方には大入賞口４３を配置している。そして、始動入賞口４０、大入賞口４３や包囲枠体３７等の取付部分を除いた遊技領域３３内に障害釘（図示せず）を植設し、遊技領域３３の下端には、入賞せずに流下した遊技球を回収するアウト口４５を設けている。さらに、遊技盤本体３１の裏面のうち変動表示装置３８の背面部には表示制御装置４７（図８参照）を装着し、該表示制御装置４７をカバー体４８で後方から被覆し、該カバー体４８の下方には遊技制御装置４９を配置している（図２（ａ）参照）。
【００１６】
次に、球払出ユニット２２について説明する。
球払出ユニット２２は、図２（ｂ）に示すように、該球払出ユニット２２の基部となる縦長なユニットベース５２を備え、該ユニットベース５２の上部には、パチンコ遊技機１を該パチンコ遊技機１の外部へ電気的に接続する外部情報端子５３を装着し、ユニットベース５２の後部の上寄りには流下切換装置５４を配置し、該流下切換装置５４の下方、詳しくはユニットベース５２の後部のうち上下方向の中間部分には払出収納部５６を設け、該払出収納部５６内に払出装置５７を収納している。さらに、ユニットベース５２の下部には、上皿ユニット１１の導出口１１ａ（図１参照）に連通する払出流下路５８を備え、球払出ユニット２２内の遊技球、詳しくは球払出ユニット２２から払い出された遊技球を賞球あるいは貸球として払出流下路５８へ流下させて導出口１１ａへ導出し、上皿ユニット１１へ供給できるように構成されている。そして、図２（ａ）に示すように、縦長なユニットカバー５９を流下切換装置５４の下部、払出装置５７、および払出流下路５８を後方から覆う状態で装着して、流下切換装置５４と払出装置５７との連結箇所、および払出装置５７と払出流下路５８との連結箇所を保護している。
【００１７】
流下切換装置５４は、球貯留ユニット２１から流下してきた遊技球を賞球あるいは貸球としてパチンコ遊技機１の前面側、具体的には上皿ユニット１１あるいは下皿ユニット１２へ流下させるか、またはパチンコ遊技機１の外部（遊技機島設備内の球回収樋）へ流下させるかを切り換えるための装置である。そして、図２（ｂ）に示すように、流下切換装置５４の上部には、球貯留ユニット２１に連通する受入流路を球貯留ユニット２１側から下り傾斜した姿勢で配置し、該受入流路の傾斜下端を払出路と球抜通路とに分岐している（何れも図示せず）。そして、分岐箇所には切換弁（図示せず）を設け、該切換弁を切り換えて遊技球を払出路へ流下させるか球抜通路へ流下させるかを選択可能としている。また、払出路を蛇行した状態で下方へ延設し、払出路の下端開口に後述する払出装置５７の内部を連通可能としている。なお、受入流路の上流端から払出路の中流部までにおいては、遊技球を前後２列に並べて流下させ、払出路の中流部から下流端までにおいては、遊技球を左右２列に並べて流下させるように構成されている。
【００１８】
払出収納部５６は、図４に示すように、内側に払出装置５７が収納される収納空間部６２を前方の遊技盤収納枠側へ向けて凹ませて形成し、該収納空間部６２の後部（払出装置５７を挟んで遊技盤収納枠とは反対側）には矩形状の払出挿脱口６３を開設し、当該払出収納部５６の下部には払出流下路５８の上流端を接続して収納空間部６２へ連通し、当該払出収納部５６の上部には流下切換装置５４の払出路の下流端を接続して収納空間部６２へ連通している。そして、払出装置５７を払出挿脱口６３へ通して収納空間部６２へ収納すると、払出装置５７の下面に払出流下路５８の上流端を臨ませるとともに、払出装置５７の上面に払出路の下流端を臨ませるように構成されている。また、払出収納部５６のうち払出装置５７を挟んで機構盤開口部１９とは反対側（図４中、右側）には、払出装置５７の側部を露出させる円形状の放熱開口６４を開設している。さらに、払出挿脱口６３の開口縁には複数の装置ロック部（上部ロック片６５、側部ロック片６６）を設け、払出収納部５６内から払出装置５７を離脱することを装置ロック部により規制したり許容したりするように構成されている。
【００１９】
具体的に説明すると、払出挿脱口６３の上側開口縁には上部ロック片６５を左右方向へ回動自在な状態で軸着し、該上部ロック片６５の一端を回動軸よりも下方に位置させると、上部ロック片６５が収納空間部６２内の払出装置５７の後部へ係止して払出装置５７の払出収納部５６からの脱離を規制し、上部ロック片６５を回動して払出装置５７の後部から外すと、払出装置５７の払出収納部５６からの脱離を許容するように構成されている。また、払出挿脱口６３のうち機構盤開口部１９側に位置する開口縁（図４中、左側開口縁）には、可撓性を有する短冊状の側部ロック片６６を払出収納部５６の後方（ユニットカバー５９側）へ向けて延設し、側部ロック片６６の後端（ユニットカバー５９側に位置する端部）には係止爪６６ａを設けている。そして、側部ロック片６６を撓ませない常態においては、係止爪６６ａを収納空間部６２内の払出装置５７の後部へ係止して払出装置５７の払出収納部５６からの脱離を規制し、側部ロック片６６を外方（機構盤開口部１９側）へ撓ませると、係止爪６６ａが払出装置５７の後部から側方へ外れて払出装置５７の払出収納部５６からの脱離を許容する。なお、払出収納部５６の下部の構成については、後で詳細に説明する。
【００２０】
払出装置５７は、流下切換装置５４の払出路の下流端と、払出流下路５８の上流端とに連通し、遊技球の払出動作を行う装置であり、流下切換装置５４の払出路から流下する遊技球（賞球あるいは貸球）を計数しながら払出流下路５８へ排出する機能を備えている。具体的には、図５（ａ）および図６（ａ）に示すように、当該払出装置５７の内部に縦向きの球払出通路７２を形成し、該球払出通路７２の途中には、左右に並んだ２つのスプロケット７３の端部を臨ませ、球払出通路７２のうちスプロケット７３よりも下方に位置する下流部には、該球払出通路７２の下流部を流下する遊技球を非接触で検出して計数可能な電磁誘導式近接センサ（払出球検出センサ）７４を設けている。なお、電磁誘導式近接センサ７４は、本発明における近接センサに相当する。
【００２１】
また、図５（ａ），（ｂ）および図６（ｂ）に示すように、払出装置５７の側部には、払出装置５７、詳しくはスプロケット７３を回転駆動する払出モータ７６を配置し、該払出モータ７６の出力軸をスプロケット７３の回転軸７３ａに接続している。そして、スプロケット７３の外周部には複数（本実施形態では３つ）の球保持溝７３ｂを形成し、該球保持溝７３ｂ内に遊技球が１つずつ嵌合した状態でスプロケット７３を回転すると、遊技球がスプロケット７３により球払出通路７２の下流部へ払い出されて流下し、電磁誘導式近接センサ７４が所定数の遊技球が流下したことを検出すると、スプロケット７３の回転が停止される。なお、２つのスプロケット７３は、互いに球保持溝７３ｂの１個分だけ位相がずれた状態で回転軸７３ａに固定され、遊技球１個分だけ位相をずらして回転するように構成されている。したがって、２つのスプロケット７３は、一体に回転し、交互に遊技球を下方へ排出できるように構成されている。また、払出装置５７を払出収納部５６内へ収納すると、払出モータ７６が放熱開口６４から払出収納部５６の外方へ露出し、払出モータ７６で発生した熱を放熱開口６４から球払出ユニット２２の外方へ放出可能となる。
【００２２】
なお、電磁誘導式近接センサ７４は、払出装置５７の前後方向（パチンコ遊技機１の前後方向）に延在する厚い板ガム状のセンサであり、当該電磁誘導式近接センサ７４の後部寄り（ユニットカバー５９側に位置する部分）には、遊技球を検出する検出部７４ａを設け、該検出部７４ａには、遊技球が通過可能な円形状のスルーホール７４ｂを上下方向に貫通して球払出通路７２の下流部へ連通している。そして、遊技球をスルーホール７４ｂに通過させると（言い換えると、遊技球を検出部７４ａへ近接させると）、検出部７４ａに内蔵されたコイル（図示せず）の周辺の磁束を変化させ、この磁束変化に起因する電圧変化に基づいて遊技球を検出できるように構成されている。また、電磁誘導式近接センサ７４の前部寄り（遊技盤収納枠側に位置する部分）には回路基板（図示せず）を内蔵し、電磁誘導式近接センサ７４の前端（遊技盤収納枠側に位置する前端）には信号配線（図示せず）の一端を接続し、信号配線の他端を払出制御装置２５へ接続している。そして、検出部７４ａが遊技球の通過を検出したことを意味する通過信号と、通過していないことを意味する非通過信号とを回路基板から信号配線を通じて送出可能としている。
【００２３】
そして、球払出ユニット２２は、払出装置５７に関する異常を検出可能な異常検出機構８０を備え、電磁誘導式近接センサ７４に向けてパチンコ遊技機１の外部から不正に照射される異常な電波（不正電波）や払出装置５７の払出収納部５６への収納不良を異常検出機構８０により検出可能としている。異常検出機構８０は、電磁誘導式近接センサ７４と同じ構造および性能を有する異常検出用センサ８１と、払出収納部５６と払出装置５７とを係止するための可撓性係止片８２とを備えて構成されており、異常検出用センサ８１を払出装置５７内へ設け、可撓性係止片８２を払出収納部５６の下部のうち異常検出用センサ８１の下方に位置する箇所へ設けている（図４および図５（ｂ）参照）。
【００２４】
異常検出用センサ８１は、払出装置５７の前後方向（パチンコ遊技機１の前後方向）に延在する厚い板ガム状に形成されたセンサであり、図５（ｂ）に示すように、払出装置５７の下部のうち電磁誘導式近接センサ７４の近傍（詳しくは、電磁誘導式近接センサ７４よりも放熱開口６４寄りの位置）に電磁誘導式近接センサ７４と同じ姿勢で内蔵されている。また、図６（ｂ）に示すように、当該異常検出用センサ８１の後部寄り（ユニットカバー５９側に位置する部分）には、後述する可撓性係止片８２の被検出ダミー体８６を検出可能な検出部８１ａを設け、該検出部８１ａには円形状のスルーホール８１ｂを被検出ダミー体８６が遊嵌可能な程度の開口径で貫通している。さらに、異常検出用センサ８１の前部寄り（遊技盤収納枠側に位置する部分）には回路基板（図示せず）を内蔵し、異常検出用センサ８１の前端（遊技盤収納枠側に位置する前端）には信号配線（図示せず）の一端を接続し、信号配線の他端を払出制御装置２５へ接続している。そして、検出部８１ａで被検出ダミー体８６を検出していることを意味する検出信号と、被検出ダミー体８６を検出していないことを意味する非検出信号とを、回路基板から信号配線を通じて払出制御装置２５へ送出可能としている。さらに、図５（ｂ）および図６（ｂ）に示すように、払出装置５７のうち異常検出用センサ８１のスルーホール８１ｂの下方に臨む箇所には、異常検出用センサ８１の検出部８１ａを払出装置５７の下方へ露出させる露出開口８７を開設し、該露出開口８７と異常検出用センサ８１のスルーホール８１ｂとを上下に重ねて連通している。
【００２５】
可撓性係止片８２は、可撓性を有する短冊状の部材であり、図４に示すように、払出挿脱口６３の下側開口縁から払出収納部５６の後方（ユニットカバー５９側）へ向けて延設されている。また、払出流下路５８よりも放熱開口６４寄り（図４中、右寄り）に位置し、収納空間部６２に収納された払出装置５７の露出開口８７および異常検出用センサ８１の検出部８１ａ（スルーホール８１ｂ）を下方から被覆できるように構成されている。また、可撓性係止片８２の上面（収納空間部６２に露出する面）のうち払出装置５７の露出開口８７および異常検出用センサ８１の検出部８１ａを被覆し得る箇所には、厚肉円筒状の開口進入部（係止突起）８９を露出開口８７に進入可能、且つ異常検出用センサ８１のスルーホール８１ｂに嵌合可能な直径で突設し、該開口進入部８９の中央部を、異常検出用センサ８１により検出可能な被検出ダミー体８６で構成している。詳しくは、円筒状のダミー体ホルダ８９ａを備え、該ダミー体ホルダ８９ａ内にボタン状の被検出ダミー体８６を保持して開口進入部８９を構成している。なお、被検出ダミー体８６は、異常検出用センサ８１の検出部８１ａに内蔵されたコイル（図示せず）の周辺の磁束を変化させ得る材質（例えば、遊技球と同じ材質である鉄）で形成されている。
【００２６】
そして、可撓性係止片８２の後端部（ユニットカバー５９側の端部）には係止操作部８２ａを設け、該係止操作部８２ａを上下方向、言い換えると払出挿脱口６３（払出収納部５６）から離れようとする下方向へ移動したり、払出挿脱口６３（払出収納部５６）に近づこうとする上方向へ移動したりして可撓性係止片８２を撓ませて操作可能としている。具体的には、係止操作部８２ａを操作しない常態では、開口進入部８９が収納空間部６２内へ突出して払出収納部５６と払出装置５７とを係止する係止状態となる（図７（ｂ）参照）。また、係止操作部８２ａを下方へ押圧操作（移動）して可撓性係止片８２を払出流下路５８側へ撓ませると、開口進入部８９が収納空間部６２から外方へ外れて、払出収納部５６と払出装置５７との係止状態を解除する係止解除状態へ変換する（図７（ａ）参照）。
【００２７】
さらに、パチンコ遊技機１は、図８に示すように、遊技制御装置４９を中心とする制御系統を備え、遊技制御装置４９により遊技進行の制御を行うように構成されている。遊技制御装置４９は、遊技制御を司るマイクロプロセッサ、遊技制御のためのプログラム等を記憶しているＲＯＭ、および遊技制御時にワークエリアとして利用されるＲＡＭ、入力インターフェース、出力インターフェース、検査装置接続端子等から構成されている。そして、各種検出装置（特図始動センサ１０１、普図始動センサ１０２、カウントセンサ１０３、入賞口センサ１０４、オーバーフロースイッチ１０５、球切れスイッチ１０６、枠開放スイッチ１０７）からの信号を受信して、変動表示ゲーム（普図変動表示ゲーム、特図変動表示ゲーム）の実行、特別遊技状態（大当たり状態）の発生、遊技者に対する報知等、種々の処理を行う。さらに、サブ制御装置となる各種制御装置（表示制御装置４７、払出制御装置２５）の他、普図表示器１１０、特図表示器１１１、始動入賞口４０の普通電動役物（開閉部材）４０ａを開閉するための普電ソレノイド１１２、大入賞口４３を開閉するための大入賞口ソレノイド１１３、外部情報端子５３等に指令信号を送信して、遊技を統括的に制御する。
【００２８】
また、払出制御装置２５は、本発明における異常判定手段または払出規制手段として機能する制御装置であり、払出制御を司るマイクロプロセッサ、払出制御のためのプログラム等を記憶しているＲＯＭ、および払出制御時にワークエリアとして利用されるＲＡＭ、入力インターフェース、出力インターフェース、検査装置接続端子等から構成されている。そして、遊技制御装置４９には接続されていない各種検出装置（異常検出用センサ８１、電磁誘導式近接センサ７４、エラー解除スイッチ１１６、税率設定スイッチ１１７、貸出料金設定スイッチ１１８）、および遊技制御装置４９にも接続されている検出装置（オーバーフロースイッチ１０５、球切れスイッチ１０６）からの信号を受信して、球貸や賞球排出などの遊技球の払出に関する処理を行う。さらに、払出モータ７６、発射制御装置２６、エラーナンバー表示器１１９、税率表示器１２０、貸出料金表示器１２１に指令信号を送信したり、払出制御に関する処理情報等を遊技制御装置４９へ送信したりする。
【００２９】
そして、払出制御装置２５は、異常検出用センサ８１の異常、詳しくは異常検出用センサ８１の信号配線が断線または短絡したことを意味する信号を受信できるように構成されている。詳しく説明すると、異常検出用センサ８１は、図９（ａ）および（ｂ）に示すように、検出信号の電圧を非検出信号の電圧よりも高く設定し、さらには異常検出用センサ８１を駆動するために印加される電源電圧（作動電圧）よりも低く設定している。具体的には、検出信号の電圧を１１．５Ｖとし、非検出信号の電圧を６Ｖとし、電源電圧を１２Ｖとしている。
【００３０】
また、図１０に示すように、払出制御装置２５と異常検出用センサ８１（詳しくは異常検出用センサ８１の信号配線）との間には出力状態判定回路１２５（本発明における配線異常検出手段に相当）を介在させ、該出力状態判定回路１２５が異常検出用センサ８１側から受信（入力）する信号の電圧に基づいて異常検出用センサ８１の状態を判定するように構成されている。具体的には、出力状態判定回路１２５は、異常検出用センサ８１側から１１．５Ｖの信号を受信した場合には、この信号を検出信号と判定し、異常検出用センサ８１から検出信号が送出されている旨を払出制御装置２５へ送信する。また、異常検出用センサ８１側から６Ｖの信号を受信した場合には、この信号を非検出信号と判定し、異常検出用センサ８１から非検出信号が送出されている旨を払出制御装置２５へ送信する。さらに、異常検出用センサ８１側から１２Ｖ、言い換えると異常検出用センサ８１の電源電圧と同じ電圧の信号を受信した場合には、信号配線または異常検出用センサ８１の回路基板が断線しているものと判定し（図９（ａ）参照）、断線が発生した旨を払出制御装置２５へ送信する。そして、異常検出用センサ８１側から０Ｖの信号を受信、言い換えるといずれの信号も受信していない場合には、信号配線または異常検出用センサ８１の回路基板が短絡しているものと判定し（図９（ｂ）参照）、短絡が発生した旨を払出制御装置２５へ送信する。なお、出力状態判定回路１２５は、払出制御装置２５と異常検出用センサ８１とを中継する中継基板に実装されることが望ましいが、払出制御装置２５を構成する払出制御基板に実装してもよい（いずれも図示せず）。
【００３１】
さらに、図１０に示すように、出力状態判定回路１２５の入力側には、異常検出用センサ８１と同じ構造および性能を備えた電磁誘導式近接センサ７４をも接続し、出力状態判定回路１２５が電磁誘導式近接センサ７４側から受信（入力）する信号の電圧に基づいて電磁誘導式近接センサ７４の状態を判定するように構成されている。具体的には、電磁誘導式近接センサ７４は、遊技球が通過したことを意味する通過信号の電圧を、遊技球が通過してないことを意味する非通過信号の電圧よりも高く設定し、さらには電磁誘導式近接センサ７４を駆動するために印加される電源電圧（作動電圧）よりも低く設定している。具体的には、通過信号の電圧を１１．５Ｖとし、非通過信号の電圧を６Ｖとし、電源電圧を１２Ｖとしている。また、出力状態判定回路１２５は、電磁誘導式近接センサ７４側から１１．５Ｖの信号を受信した場合には、この信号を通過信号と判定し、電磁誘導式近接センサ７４がスプロケット７３から払い出された遊技球の通過を検出した旨を払出制御装置２５へ送信する。また、電磁誘導式近接センサ７４側から６Ｖの信号を受信した場合には、この信号を非通過信号と判定し、電磁誘導式近接センサ７４が遊技球の通過を検出していない旨を払出制御装置２５へ送信する。さらに、電磁誘導式近接センサ７４側から１２Ｖ、言い換えると電磁誘導式近接センサ７４の電源電圧と同じ電圧の信号を受信した場合には、電磁誘導式近接センサ７４の信号配線または電磁誘導式近接センサ７４の回路基板が断線しているものと判定し、断線が発生した旨を払出制御装置２５へ送信する。そして、電磁誘導式近接センサ７４側から０Ｖの信号を受信、言い換えるといずれの信号も受信していない場合には、電磁誘導式近接センサ７４の信号配線または電磁誘導式近接センサ７４の回路基板が短絡しているものと判定し、短絡が発生した旨を払出制御装置２５へ送信する。
【００３２】
次に、異常検出機構８０や払出制御装置２５の作用について説明する。
まず、組立作業やメンテナンス作業で行われる払出装置５７の収納（装着）手順について説明すると、払出装置５７の収納準備として、払出収納部５６の上部ロック片６５を回動して収納空間部６２の後方から外し、側部ロック片６６を側方へ撓ませ、さらには係止操作部８２ａを下方へ押圧して可撓性係止片８２を撓ませて係止解除状態へ変換する。また、払出装置５７を電磁誘導式近接センサ７４および異常検出用センサ８１が下側に位置し、且つ電磁誘導式近接センサ７４が異常検出用センサ８１よりも機構盤開口部１９側に位置する姿勢に設定し、この姿勢で払出装置５７を払出挿脱口６３へ通して収納空間部６２に後方から挿入する。
【００３３】
そして、払出装置５７を前方の遊技盤収納枠側へ押し込み、予め定められた正常収納状態、具体的には払出装置５７の前面（遊技盤収納枠側に位置する面）が収納空間部６２の前側区画壁（遊技盤収納枠側を仕切る区画壁）６２ａへ十分に当接した状態で収納空間部６２に収納する（図７（ｂ）参照）。すると、払出装置５７の後部のうち上部ロック片６５を係止可能な箇所が上部ロック片６５よりも前方の収納空間部６２寄りに位置するとともに、側部ロック片６６の係止爪６６ａを係止可能な箇所が係止爪６６ａよりも前方の収納空間部６２寄りに位置し、さらには露出開口８７および異常検出用センサ８１のスルーホール８１ｂが開口進入部８９の直下に位置する。払出収納部５６の収納空間部６２に払出装置５７を正常収納状態で収納したならば、上部ロック片６５を回動したり、側部ロック片６６を当該側部ロック片６６の復元力により撓み状態から解除したりして、上部ロック片６５および側部ロック片６６を払出装置５７へ係止する。また、係止操作部８２ａの押圧操作を解除し、可撓性係止片８２を当該可撓性係止片８２の復元力により係止解除状態から係止状態へ変換する。この結果、払出装置５７は、正常収納状態で払出収納部５６に係止されて、払出収納部５６からの脱離（取り外し）を規制される。また、球払出通路７２の上端を流下切換装置５４の払出路の下端へ連通するとともに、球払出通路７２の下端および電磁誘導式近接センサ７４のスルーホール７４ｂを払出流下路５８の上端へ連通して、遊技球を流下切換装置５４の払出路から球払出通路７２へ通して払出流下路５８へ流下可能になる。さらに、露出開口８７および異常検出用センサ８１のスルーホール８１ｂに開口進入部８９を進入させ、被検出ダミー体８６を検出部８１ａ（スルーホール８１ｂ）へ臨ませる。そして、電磁誘導式近接センサ７４の信号配線、異常検出用センサ８１の信号配線、払出モータ７６の制御配線等を払出制御装置２５へ接続し、パチンコ遊技機１の電源を投入すると、常態においては、異常検出用センサ８１が検出部８１ａで被検出ダミー体８６を検出し、被検出ダミー体８６を検出していることを意味する検出信号を送出し、この検出信号を払出制御装置２５で受信する。さらに、払出制御装置２５は、パチンコ遊技機１の電源投入時に検出信号を受信したことに基づいて、払出装置５７が正常収納状態で収納されていると判定し、払出装置５７における遊技球の払出動作を許可する。
【００３４】
一方、収納空間部６２に払出装置５７を正常収納状態とは異なる異常収納状態、例えば、電磁誘導式近接センサ７４および異常検出用センサ８１が払出装置５７の上側に位置していたり、電磁誘導式近接センサ７４のスルーホール７４ｂおよび異常検出用センサ８１のスルーホール８１ｂが遊技盤収納枠寄り（払出装置５７の前寄り）に位置していたり、あるいは、図７（ａ）に示すように、払出装置５７の前面（遊技盤収納枠側に位置する面）が収納空間部６２の前側区画壁６２ａへ当接していなかったりする状態で収納すると、開口進入部８９が露出開口８７へ進入できずに払出装置５７の下面に引っ掛かり、可撓性係止片８２が係止解除状態から係止状態への変換を規制される。この状態で、電磁誘導式近接センサ７４の信号配線、異常検出用センサ８１の信号配線、払出モータ７６の制御配線等を払出制御装置２５へ接続し、パチンコ遊技機１の電源を投入すると、異常検出用センサ８１が検出部８１ａで被検出ダミー体８６を検出せず、被検出ダミー体８６を検出していないことを意味する非検出信号を送出し、この非検出信号を払出制御装置２５で受信する。そして、払出制御装置２５は、パチンコ遊技機１の電源投入時に非検出信号を受信したことに基づいて、払出装置５７が異常収納状態で収納されている（すなわち異常が発生している）と判定し、払出装置５７における遊技球の払出動作を規制（禁止）する。さらに、電源投入時および電源投入後において、電磁誘導式近接センサ７４側または異常検出用センサ８１側から断線または短絡が発生した旨を意味する信号を受信した場合には、払出装置５７の収納状態に拘らず、払出装置５７における遊技球の払出動作を規制（禁止）する。
【００３５】
そして、払出収納部５６内に払出装置５７を正常収納状態で収納した場合において、遊技を実行しているとき、あるいは球貸操作を行うときに、不正行為者が払出装置５７における遊技球の計数をごまかそうとして、球払出ユニット２２の電磁誘導式近接センサ７４へ或る特定の周波数で異常な電波（不正電波）をパチンコ遊技機１の外方から不正に照射すると、遊技球が電磁誘導式近接センサ７４のスルーホール７４ｂを通過したとしても、検出部７４ａの磁束変化に起因する電圧変化が抑制されてしまい、遊技球の計数が阻止されることになる。仮にこの状態で払出処理を続行すると、払出制御装置２５は、規定された払出数の遊技球が計数されるまで払出装置５７を駆動させてしまい、不正行為者が規定数よりも多い遊技球を不正に得ることになってしまう。
【００３６】
しかしながら、払出装置５７は、異常検出機構８０の異常検出用センサ８１を電磁誘導式近接センサ７４の近傍であって、且つ電磁誘導式近接センサ７４と同じ姿勢で配設しているので、不正電波が異常検出用センサ８１の検出部８１ａにも照射される。言い換えると、電磁誘導式近接センサ７４と異常検出用センサ８１とが同じ条件で不正電波を受けることができる。すると、異常検出用センサ８１のスルーホール８１ｂ内に被検出ダミー体８６を配置されているにも拘らず、検出部８１ａの磁束変化に起因する電圧変化が抑制され、これにより検出信号の送出を停止して非検出信号（被検出ダミー体８６を検出していないことを意味する非検出信号）を払出制御装置２５へ送出する。そして、払出制御装置２５は、非検出信号を受信したことに基づいて、不正電波が電磁誘導式近接センサ７４および異常検出用センサ８１へ照射された（すなわち異常が発生した）と判定し、払出装置５７における遊技球の払出動作を停止する等の処理を行う。したがって、不正電波が電磁誘導式近接センサ７４に照射されるという不正行為を、大掛かりな構造を必要とせずに検出することができ、さらに、払出制御装置２５で行う監視により確実に発見することができる。また、不正電波の照射を検出可能な構造で払出装置５７の払出収納部５６への収納不良をも検出することができ、複数の異常を検出可能なパチンコ遊技機１の構造を簡略にすることができる。
【００３７】
また、払出制御装置２５は、非検出信号を受信したことに基づいて、異常な電波の照射または払出装置５７における異常収納状態の発生を判定可能であるので、異常な電波の照射または払出装置５７の取付不良を簡単な構成で把握することができる。そして、異常検出機構８０は、払出装置５７の露出開口８７に可撓性係止片８２の開口進入部８９を進入させると、被検出ダミー体８６を異常検出用センサ８１の検出部８１ａに臨ませるので、払出装置５７の払出収納部５６からの取り外し規制と、異常検出用センサ８１における異常な電波（不正電波）の検出準備とを同時に行うことができ、パチンコ遊技機１の稼動準備操作を効率よく行うことができる。
【００３８】
次に、上記の異常検出動作を実現するための制御を、図１１〜図１４のフローチャートに基づいて具体的に説明する。まず、図１１，１２のフローチャートに基づき、パチンコ遊技機１に電源が投入された場合、または停電から復旧した場合に払出制御装置２５が実行を開始するメイン処理について説明する。メイン処理においては、まず、所定時間周期（例えば、１ミリ秒周期）で行われるタイマ割込みの禁止の設定（Ｓ１）、各割込みモードの設定（Ｓ２）、払出制御装置２５のＲＡＭへのアクセス許可（Ｓ３）、払出制御装置２５のＣＰＵ周辺デバイスの初期設定（Ｓ４）、スタックポインタの設定（Ｓ５）を行う。
【００３９】
さらに、電源装置２７に設けられたＲＡＭクリアスイッチ１２７（図８参照）がＯＮになって払出制御装置２５のＲＡＭを初期化する操作が行われたか否かを判定し（Ｓ６）、ＲＡＭクリアスイッチ１２７がＯＮでないと判定された場合には、停電からの復旧であることを示す停電復旧情報がＲＡＭに設定されているか否かを判定することによって、停電復旧時の電源投入であるか否かを判定する（Ｓ７）。また、停電復旧時の電源投入であると判定された場合には、ＲＡＭに記憶されているデータが壊れている否かを判定するために、チェックサムが正常であるか否か調べる（Ｓ８，Ｓ９）。具体的には、停電があった際にＲＡＭに記憶されていたデータのチェックサムと、ＲＡＭに現在記憶されているデータのチェックサムとが一致するか否かを判定する。そして、チェックサムが正常であると判定された場合、すなわちＲＡＭに記憶されているデータが正常であると判定された場合には、停電復旧処理を実行してＲＡＭに停電復旧時の初期値を設定する（Ｓ１０）。
【００４０】
一方、ステップＳ６にてＲＡＭクリアスイッチ１２７がＯＮであると判定された場合、またはステップＳ７にて停電復旧時の電源投入でないと判定された場合、またはステップＳ９にてチェックサムが異常であると判断された場合には、使用する全てのＲＡＭに記憶されているデータをクリアした後に、ＲＡＭへ電源投入時の初期値を設定して、払出制御装置２５のＲＡＭの初期化を実行する（Ｓ１１，Ｓ１２）。
【００４１】
ＲＡＭの初期化、またはＲＡＭに停電復旧時の初期値を設定したならば、電源投入直後であることを示す電源投入フラグをセットし（Ｓ１３）、ＰＲＤＹ信号をカードユニット１７に出力して、遊技球の貸し出しを行うことができる状態になったことを報知し（Ｓ１４）、時間を計測するためのタイマであるＣＴＣ（Ｃｏｕｎｔｅｒ  Ｔｉｍｅｒ  Ｃｉｒｃｕｉｔ）を設定し（Ｓ１５）、ステップＳ１で禁止されたタイマ割込みを許可する（Ｓ１６）。
【００４２】
タイマ割込み許可を設定したならば、カードユニット１７が払出制御装置２５に接続されているか否かを判定し（Ｓ１７）、接続されていると判定した場合には、発射制御装置２６を遊技球の発射を許可する状態（発射許可状態）に設定し（Ｓ１８）、接続されていないと判定した場合には、発射制御装置２６を遊技球の発射を許可しない状態（発射不許可状態）に設定する（Ｓ１９）。発射制御装置２６を発射許可状態または発射不許可状態のいずれかに設定したならば、払出制御モードを取得し（Ｓ２０）、取得された払出制御モード（モード０，モード１，モード２）によって処理を分岐させる（Ｓ２１）。モード０の場合には、遊技球が過剰に払い出されていないか否かを監視する払出過剰エラー監視処理を実行し（Ｓ２２）、実際に遊技球を払い出させる処理を開始させるために、払出装置５７制御開始判定処理を実行する（Ｓ２３）。モード１の場合には、賞球として払い出す遊技球の数を設定する賞球制御処理を実行し（Ｓ２４）、払出モータ７６を制御する払出制御処理を実行して、遊技球を賞球として払い出す（Ｓ２５）。モード２の場合には、貸球として払い出す遊技球の数を設定する球貸し制御処理を実行し（Ｓ２６）、払出モータ７６を制御する払出制御処理を実行して、遊技球を貸球として払い出す（Ｓ２５）。
【００４３】
各モードに対応する処理を実行したならば、電源投入時において払出装置５７が正常収納状態であるか否か、遊技球の払出動作時において不正電波が電磁誘導式近接センサ７４および異常検出用センサ８１に照射されたか否か、電磁誘導式近接センサ７４側または異常検出用センサ８１側で断線または短絡が発生しているか否かを監視するエラー監視処理（Ｓ２７）、遊技球の払出動作時に発生したエラーの報知の編集を行うエラー報知編集処理（Ｓ２８）を実行する。なお、エラー監視処理については、後で詳細に説明する。さらに、払出制御装置２５のＲＡＭの停電検査領域の内容を取得し（Ｓ２９）、この内容に基づいて停電が発生しているか否かを判定する（Ｓ３０）。そして、停電が発生していないと判定された場合には、ステップＳ１７の処理に戻り、停電が発生していると判定された場合には、停電時処理（割り込み禁止の設定（Ｓ３１）、全出力ポートのＯＦＦ（Ｓ３２）、停電復旧情報のＲＡＭへの保存（Ｓ３３）、ＲＡＭへの電源供給遮断前におけるＲＡＭ内データのチェックサム算出および保存（Ｓ３４）、ＲＡＭへのアクセスを禁止（Ｓ３５））を実行し、パチンコ遊技機１の電源が切れるまで待機する。
【００４４】
また、払出制御装置２５は、メイン処理においてタイマ割込みを許可している場合には、所定時間周期毎にタイマ割込処理を実行する。タイマ割込み処理について、図１３に示すフローチャートを用いて説明すると、まず、払出制御装置２５のＣＰＵのＡＦレジスタを退避させ（Ｓ４１）、停電が発生した際に出力される強制割込信号である外部割込みのみを許可し（Ｓ４２）、タイマ割込処理の終了を宣言した後、割込みを許可する（Ｓ４３，Ｓ４４）。
【００４５】
そして、払出制御装置２５のＣＰＵのＢＣレジスタ、ＤＥレジスタ及びＨＬレジスタを退避させ（Ｓ４５）、出力処理を実行する（Ｓ４６）。なお、出力処理においては、払出モータ７６、発射制御装置２６、エラーナンバー表示器１１９等に駆動信号を出力する。出力処理を実行したならば、入力処理を実行する（Ｓ４７）。入力処理においては、電磁誘導式近接センサ７４、異常検出用センサ８１、球切れスイッチ１０６、オーバーフロースイッチ１０５から入力される信号や、カードユニット１７から入力される信号等にチャタリング除去等の処理をし、入力情報を確定する。
【００４６】
入力処理を実行した後には、タイマ更新処理（Ｓ４８）、要求監視処理（Ｓ４９）、入力監視処理（Ｓ５０）、払出ユニット出力編集処理（Ｓ５１）、外部情報出力編集処理（Ｓ５２）を実行する。タイマ更新処理においては各種タイマを更新し、要求監視処理においては、払出制御装置２５が受信した各種コマンドや信号を解析し、カードユニット１７からＢＲＤＹ信号が出力されているか否かを監視する。また、入力監視処理においては、カードユニット１７からの信号に基づいて、カードユニット１７と払出制御装置２５とが接続されているか否かを監視し、電磁誘導式近接センサ７４から入力される信号に基づいて、払い出されるべき数分の遊技球が払い出されているか否かを監視する。さらに、払出ユニット出力編集処理においては、払出モータ７６を制御するために出力情報を編集し、外部情報出力編集処理においては、パチンコ遊技機１に関する情報を情報収集端末及び遊技場内部管理装置等（いずれも図示せず）へ出力する。そして、外部情報出力編集処理まで実行したならば、ＢＣレジスタ、ＤＥレジスタ及びＨＬレジスタを復帰させ（Ｓ５３）、外部割込み及びタイマ割込みを有効化し（Ｓ５４）、ＡＦレジスタを復帰させ（Ｓ５５）、タイマ割込処理を終了してメイン処理に戻る。
【００４７】
次に、エラー監視処理について、図１４に示すフローチャートに基づき説明する。
エラー監視処理では、まず、電源投入フラグの有無により電源投入直後の状態であるか否かを判定し（Ｓ６１）、電源投入直後であれば、異常検出用センサ８１が被検出ダミー体８６を検出しているか否かを判定する（Ｓ６２）。そして、被検出ダミー体８６を検出していない（言い換えると、異常検出用センサ８１が非検出信号を送出している）場合には、払出装置５７が異常収納状態で払出収納部５６へ収納されている（取り付けられている）として取付エラーフラグをセットする（Ｓ６３）。また、異常検出用センサ８１が被検出ダミー体８６を検出している（言い換えると、異常検出用センサ８１が検出信号を送出している）場合には、払出装置５７が正常収納状態で払出収納部５６へ収納されている（取り付けられている）として取付エラーフラグをリセットし、電源投入直後における払出装置５７の取付状態チェックが完了したとして電源投入フラグをリセットする（Ｓ６４）。
【００４８】
ステップＳ６１において電源投入直後ではない場合、またはステップＳ６４において電源投入フラグおよび取付エラーフラグをリセットした場合には、払出装置５７が払出モータ７６を駆動して遊技球を払い出す動作を行っているか否かを判定し（Ｓ６５）、払出動作中であれば、異常検出用センサ８１が被検出ダミー体８６を検出しているか否かを判定する（Ｓ６６）。そして、被検出ダミー体８６を検出していない（言い換えると、異常検出用センサ８１が非検出信号を送出している）場合には、不正用カウンタに１を加算し（Ｓ６７）、加算後の不正用カウンタが予め設定された不正判定値（例えば、「５」）以上になっているか否かを判定する（Ｓ６８）。そして、不正判定値以上であれば（言い換えると、非検出信号を不正用カウンタが不正判定値となる時間（非検出期間）以上継続して受信したならば）、異常検出用センサ８１および電磁誘導式近接センサ７４に不正電波が照射されていると判定して不正フラグをセットする（Ｓ６９）。
【００４９】
また、ステップＳ６５において払出動作中ではない場合、またはステップＳ６６において異常検出用センサ８１が被検出ダミー体８６を検出している（言い換えると、異常検出用センサ８１が検出信号を送出している）場合には、不正用カウンタをクリアして０に設定するとともに（Ｓ７０）、不正フラグをリセットする（Ｓ７１）。
【００５０】
そして、ステップＳ６３において取付エラーフラグのセット、または、ステップＳ６９において不正フラグのセット、または、ステップＳ７１において不正フラグのリセットが実行されたならば、払出装置５７が出力状態判定回路１２５から異常検出用センサ８１に関する断線または短絡が発生した旨を受信しているか否かを判定し（Ｓ７２）、断線または短絡が発生している場合には断線／短絡フラグをセットして（Ｓ７３）、エラー監視処理を終了する。断線または短絡が発生していない場合には断線／短絡フラグをリセットして（Ｓ７４）、エラー監視処理を終了する。
【００５１】
このようにしてエラー監視処理においては、パチンコ遊技機１の電源投入直後において異常検出用センサ８１から非検出信号を受信した場合には、払出装置５７の異常収納状態が発生したと判定する一方、払出装置５７による遊技球の払出動作の実行中において異常検出用センサ８１から非検出信号を受信した場合には、異常な電波（不正電波）が電磁誘導式近接センサ７４に照射されたと判定するので、非検出信号を異ならせずに、異常な電波が電磁誘導式近接センサ７４に照射されているのか、あるいは払出装置５７の取付不良が発生しているのかを判定することができ、異常検出用センサ８１の出力仕様が複雑になることを避けることができる。
【００５２】
エラー監視処理の終了後にメイン処理の実行に戻ると、メイン処理内で行われる払出装置制御開始判定処理（Ｓ２３）において取付エラーフラグおよび断線／短絡フラグをチェックし、払出制御処理（Ｓ２５）において断線／短絡フラグおよび不正フラグをチェックする。そして、取付エラーフラグがセットされていれば、払出装置５７が異常収納状態であることを意味するので、報知制御を行うなどして、払出装置５７を異常収納状態から正常収納状態にすることを促す。さらに、不正フラグがセットされていれば、異常検出用センサ８１および電磁誘導式近接センサ７４に不正電波が照射されていることを意味し、断線／短絡フラグがセットされていれば、不正電波の検出を実行できないことを意味するので、不正フラグまたは断線／短絡フラグの少なくともいずれかがセットされていれば、払出動作を停止する制御を実行する。これにより、不正行為によって規定数以上の遊技球が払い出されることを阻止することができる。なお、払出動作においては、予め定められた単位払出数が払い出される払出単位動作を設定しておき、この払出単位動作を複数回実行することで多数の遊技球を払い出すように構成されている。そして、払出動作を停止する制御が実行された場合には、この停止制御が実行された後に行われる予定であった払出単位動作を取り止め、停止制御が実行された時点で実行中の払出単位動作については、途中で停止せずに単位払出数を全て払い出す。
【００５３】
さらに、エラー監視処理においては、非検出信号を予め設定された非検出期間以上継続して受信したことに基づいて、不正電波が電磁誘導式近接センサ７４および異常検出用センサ８１へ照射されたことを判定するので、払い出された遊技球などによって発生する内的ノイズやパチンコ遊技機１の外部からの外的ノイズに基づいて、異常判定手段である払出制御装置２５が非検出信号と同じ信号を受信したとしても、不正電波が照射されたと誤判定してしまうことを防止することができる。
【００５４】
なお、エラー監視処理における払出装置５７の異常収納状態の検出、すなわちステップＳ６３における取付エラーフラグのセットにおいても、非検出信号の検出が予め設定された非検出期間以上継続して受信した場合に行うようにしてもよい。例えば、ステップＳ６２において被検出ダミー体８６を検出していない（言い換えると、異常検出用センサ８１が非検出信号を送出している）場合には、取付エラーカウンタに１を加算する。そして、加算後の取付エラーカウンタが予め設定された取付エラー判定値（例えば、「５」）以上になっているか否かを判定し、取付エラー判定値以上であれば（言い換えると、非検出信号を取付エラーカウンタが取付エラー判定値となる時間（非検出期間）以上継続して受信したならば）、払出装置５７において異常収納状態が発生していると判定して、取付エラーフラグをセットする。このような処理を払出制御装置２５で実行し、非検出信号を予め設定された非検出期間以上継続して受信したことに基づいて、異常収納状態の発生を判定可能とすれば、パチンコ遊技機１内から発生する内的ノイズやパチンコ遊技機１の外部からの外的ノイズに基づいて、払出制御装置２５が非検出信号と同じ信号を受信したとしても、払出装置５７の取付不良が発生していると誤判定してしまうことを防止することができる。
【００５５】
ところで、上記実施形態では、払出収納部５６に可撓性係止片８２を設け、払出装置５７に異常検出用センサ８１を設けたが、本発明はこれに限定されない。例えば、図１５に示す第２実施形態においては、払出収納部５６に異常検出用センサ８１を設け、払出装置５７に可撓性係止片８２を設けている。具体的に説明すると、第２実施形態における払出収納部５６は、図１５（ａ）に示すように、払出挿脱口６３の下側開口縁のうち払出流下路５８よりも放熱開口６４寄り（図１５（ａ）中、右寄り）の位置に矩形状の露出開口１３０を切り欠いて開設している。そして、該露出開口１３０内に異常検出用センサ８１を電磁誘導式近接センサ７４と同じ姿勢、具体的にはパチンコ遊技機１の前後方向に沿って延在し、且つ当該異常検出用センサ８１の後部寄り（ユニットカバー５９側に位置する部分）にスルーホール８１ｂを上下方向に貫通した姿勢で嵌合して、異常検出用センサ８１の検出部８１ａ（スルーホール８１ｂ）が露出開口１３０を介して収納空間部６２へ露出するように構成されている。
【００５６】
また、第２実施形態における払出装置５７は、当該払出装置５７の下部のうち電磁誘導式近接センサ７４の近傍（詳しくは、電磁誘導式近接センサ７４よりも放熱開口６４寄りの位置）に、可撓性を有する短冊状の可撓性係止片８２を当該払出装置５７の前側（遊技盤収納枠側）から後方（ユニットカバー５９側）へ向けて延設している。そして、当該払出装置５７を収納空間部６２へ収納すると、可撓性係止片８２が払出収納部５６の露出開口１３０および異常検出用センサ８１の検出部８１ａ（スルーホール８１ｂ）を上方から被覆できるように構成されている。さらに、可撓性係止片８２の上面（収納空間部６２に露出する面）のうち異常検出用センサ８１の検出部８１ａを被覆し得る箇所には、厚肉円筒状の開口進入部（係止突起）８９を露出開口１３０に進入可能、且つ異常検出用センサ８１のスルーホール８１ｂに嵌合可能な直径で突設し、該開口進入部８９の中央部を、異常検出用センサ８１により検出可能な被検出ダミー体８６で構成している。
【００５７】
また、可撓性係止片８２の後端部には係止操作部８２ａを設け、該係止操作部８２ａを上下方向、言い換えると払出装置５７に近づこうとする上方向へ移動したり、払出装置５７から離れようとする下方向へ移動したりして可撓性係止片８２を撓ませて操作可能としている。具体的には、係止操作部８２ａを操作しない常態では、開口進入部８９が露出開口１３０内（詳しくはスルーホール８１ｂ内）に進入して払出収納部５６と払出装置５７とを係止する係止状態となる。また、係止操作部８２ａを上方へ押圧操作（移動）して可撓性係止片８２を払出装置５７側へ撓ませると、開口進入部８９が露出開口１３０（詳しくはスルーホール８１ｂ）から外れて、払出収納部５６と払出装置５７との係止状態を解除する係止解除状態へ変換するように構成されている。
【００５８】
このような構成で異常検出機構８０（異常検出用センサ８１および可撓性係止片８２）を設けたパチンコ遊技機１においても、払出収納部５６に払出装置５７を正常収納状態で収納すれば、露出開口１３０および異常検出用センサ８１のスルーホール８１ｂに開口進入部８９を進入させて払出装置５７と払出収納部５６とを係止し、被検出ダミー体８６を検出部８１ａ（スルーホール８１ｂ）へ臨ませて検出可能となる。また、収納空間部６２に払出装置５７を異常収納状態で収納すれば、開口進入部８９が露出開口１３０へ進入することを阻止されて払出装置５７と払出収納部５６とを係止できず、被検出ダミー体８６を検出部８１ａ（スルーホール８１ｂ）から外して検出不能となる。したがって、異常な電波の照射を検出可能な構造で払出装置５７の払出収納部５６への収納不良をも検出することができ、複数の異常を検出可能なパチンコ遊技機１の構造を簡略にすることができる。さらに、払出装置５７の払出収納部５６からの取り外し規制と、異常検出用センサ８１における異常な電波の検出準備とを同時に行うことができ、パチンコ遊技機１の稼動準備操作を効率よく行うことができる。
【００５９】
ところで、上記実施形態のエラー監視処理では、パチンコ遊技機１の電源投入直後のみにおいて払出装置５７が異常収納状態であるか否かを判定し、払出装置５７による遊技球の払出動作の実行中のみにおいて異常な電波が電磁誘導式近接センサ７４に照射されたか否かを判定したが、本発明はこれに限定されない。要は、少なくともパチンコ遊技機１の電源投入直後において異常検出用センサ８１から非検出信号を受信した場合には、異常収納状態が発生したと判定する一方、少なくとも払出装置５７による遊技球の払出動作の実行中において異常検出用センサ８１から非検出信号を受信した場合には、異常な電波が電磁誘導式近接センサ７４に照射されたと判定できれば、どのような処理を行ってもよい。例えば、遊技球の払出動作が実行中であるか否かに拘らず、異常検出用センサ８１から非検出信号を受信しているか否かを判定して、不正電波が照射されているか否かを常時判定する処理を行ってもよい。あるいは、パチンコ遊技機１の電源投入直後から予め定められた所定期間に亘って非検出信号の受信の有無を判定して、払出装置５７が異常収納状態であるか否かを判定する処理を行ってもよい。
【００６０】
また、上記実施形態においては、払出制御装置２５を本発明における異常判定手段とし、払出制御装置２５が異常検出用センサ８１からの信号を受信して不正電波が照射されたか否かを監視しているが、本発明はこれに限定されない。例えば、異常判定手段として遊技制御装置４９を採用して異常検出用センサ８１を接続し、遊技制御装置４９が異常検出用センサ８１からの信号を受信して不正電波が照射されたか否かを監視するように構成してもよい。そして、上記実施形態では、電磁誘導式近接センサ７４および異常検出用センサ８１に遊技球が通過可能なスルーホールを開設したが、本発明はこれに限定されない。要は、検出部により非接触で遊技球または被検出ダミー体８６を検出可能な電磁誘導式のセンサであればよく、例えば、スルーホールを開設していない所謂フラットタイプの近接センサを用いてもよい。さらに、電磁誘導式近接センサ７４および異常検出用センサ８１の断線および短絡を検出可能としたが、本発明はこれに限定されない。要は、電磁誘導式近接センサ７４および異常検出用センサ８１から検出信号および非検出信号を送出できれば、断線および短絡の検出機能の有無は問わない。
【００６１】
また、上記実施形態では、代表的な遊技機であるパチンコ遊技機を例にして説明したが、本発明はこれに限らず、遊技球を払い出す払出動作を行うことが可能な払出機構部と、該払出機構部により払い出される遊技球を検出することが可能な近接センサと、を備え、払出条件の成立に基づき前記払出機構部に払出動作を行わせるとともに、前記近接センサから入力される信号に基づき払出動作を停止させることが可能な遊技機であればどのような遊技機でもよい。例えば、封入球式パチンコ機、アレンジボール式遊技機、雀球式遊技機等の遊技機であってもよい。
【００６２】
ところで、払出装置の電磁誘導式近接センサに対する不正を防止したい場合には、払出装置の全周をシールドで覆う必要があり、防止構造が大掛かりになってしまう。また、シールドに少しの隙間があるとそこを狙って電波を照射される可能性もあるし、可動部が多くあるパチンコ遊技機において、払出装置の周囲を隙間なくシールドすることは極めて困難である。さらに、パチンコ遊技機全体をシールドしても、シールドが外部から破壊される可能性もあり、完全に不正行為を防止することは困難である。
【００６３】
また、払出装置を着脱可能とした場合には、パチンコ遊技機のメンテナンス作業を行い易くなって好適であるが、払出装置が適切に取り付けられていないと、電磁誘導式近接センサに対する不正を防止可能な構成であったとしても、遊技球の払出動作を円滑に行うことができない。
【００６４】
そこで、上記の事情に鑑みて、大掛かりな構造を設けずに、遊技球計数用の電磁誘導式近接センサに関する異常や、払出装置の取付状態に関する異常を検知することができる遊技機を提供するべく、上記の実施形態から次の発明群が挙げられる。
【００６５】
すなわち、第１発明は、遊技球を払い出し可能な払出機構部と、該払出機構部から払い出された遊技球を検出部へ近接させて検出可能な電磁誘導式近接センサと、を備えて払出装置を構成し、該払出装置を払出収納部へ着脱可能とした遊技機において、
前記電磁誘導式近接センサと同じ構造および性能を有する異常検出用センサと、
該異常検出用センサの検出部により検出可能な被検出ダミー体と、
前記異常検出用センサから送出された信号を受信して、異常が発生したか否かを判定可能な異常判定手段と、
を備え、
前記異常検出用センサは、被検出ダミー体を検出していることを意味する検出信号と、被検出ダミー体を検出していないことを意味する非検出信号と、を送出可能とし、当該異常検出用センサの検出部に異常な電波を外方から照射されて受けると非検出信号を送出し、
前記払出装置または払出収納部の一方には、前記異常検出用センサを当該異常検出用センサの検出部が露出する状態で設け、他方には、払出収納部と払出装置とを係止するための可撓性係止片を異常検出用センサの検出部へ被覆可能な状態で設け、可撓性係止片を撓ませて、払出収納部と払出装置とを係止する係止状態と、該係止状態を解除する係止解除状態とに変換可能とし、
前記可撓性係止片のうち異常検出用センサの検出部を被覆可能な箇所には前記被検出ダミー体を設け、
前記払出収納部内に払出装置を予め定められた正常収納状態で収納するとともに前記可撓性係止片を前記係止状態へ変換すると、異常検出用センサが検出部により被検出ダミー体を検出して検出信号を送出し、
前記払出収納部内に払出装置を正常収納状態とは異なる異常収納状態で収納すると、可撓性係止片が前記係止解除状態から前記係止状態への変換を規制され、異常検出用センサが検出部により被検出ダミー体を検出せず非検出信号を送出するように構成されたことを特徴とする遊技機である。
【００６６】
第２発明は、前記異常検出用センサを前記電磁誘導式近接センサの近傍であって、且つ電磁誘導式近接センサと同じ姿勢で備えたことを特徴とする第１発明に記載の遊技機である。
【００６７】
第３発明に記載のものは、前記払出収納部または前記払出装置には、前記異常検出用センサの検出部を露出させる露出開口を設け、
前記可撓性係止片には、露出開口に進入可能な開口進入部を突設し、該開口進入部の少なくとも一部を前記被検出ダミー体で構成し、
前記露出開口に開口進入部を進入させると、被検出ダミー体が異常検出用センサの検出部に臨むように構成されたことを特徴とする第２発明に記載の遊技機である。
【００６８】
第４発明に記載のものは、前記異常判定手段は、非検出信号を受信したことに基づいて、異常な電波の照射または異常収納状態の発生を判定可能であることを特徴とする第３発明に記載の遊技機である。
【００６９】
第５発明に記載のものは、前記異常判定手段は、非検出信号を予め設定された非検出期間以上継続して受信したことに基づいて、異常な電波の照射または異常収納状態の発生を判定可能であることを特徴とする第４発明に記載の遊技機である。
【００７０】
第６発明に記載のものは、前記異常判定手段は、
少なくとも遊技機の電源投入直後において前記異常検出用センサから非検出信号を受信した場合には、前記異常収納状態が発生したと判定する一方、
少なくとも前記払出装置による遊技球の払出動作の実行中において前記異常検出用センサから非検出信号を受信した場合には、異常な電波が電磁誘導式近接センサに照射されたと判定することを特徴とする第１発明から第５発明のいずれかに記載の遊技機である。
【００７１】
本発明によれば、以下のような優れた効果を奏する。
第１発明によれば、電磁誘導式近接センサと同じ構造および性能を有する異常検出用センサと、該異常検出用センサの検出部により検出可能な被検出ダミー体と、異常検出用センサから送出された信号を受信して、異常が発生したか否かを判定可能な異常判定手段と、を備え、異常検出用センサは、被検出ダミー体を検出していることを意味する検出信号と、被検出ダミー体を検出していないことを意味する非検出信号と、を送出可能とし、当該異常検出用センサの検出部に異常な電波を外方から照射されて受けると非検出信号を送出し、払出装置または払出収納部の一方には、前記異常検出用センサを当該異常検出用センサの検出部が露出する状態で設け、他方には、払出収納部と払出装置とを係止するための可撓性係止片を異常検出用センサの検出部へ被覆可能な状態で設け、可撓性係止片を撓ませて、払出収納部と払出装置とを係止する係止状態と、該係止状態を解除する係止解除状態とに変換可能とし、可撓性係止片のうち異常検出用センサの検出部を被覆可能な箇所には前記被検出ダミー体を設け、払出収納部内に払出装置を予め定められた正常収納状態で収納するとともに前記可撓性係止片を前記係止状態へ変換すると、異常検出用センサが検出部により被検出ダミー体を検出して検出信号を送出し、払出収納部内に払出装置を正常収納状態とは異なる異常収納状態で収納すると、可撓性係止片が前記係止解除状態から前記係止状態への変換を規制され、異常検出用センサが検出部により被検出ダミー体を検出せず非検出信号を送出するように構成されたので、異常な電波が不正目的で電磁誘導式近接センサに照射されるという不正行為を、大掛かりな構造を必要とせずに検出することができる。また、異常な電波の照射を検出可能な構造で払出装置の払出収納部への収納不良をも検出することができ、複数の異常を検出可能な遊技機の構造を簡略にすることができる。
【００７２】
第２発明によれば、異常検出用センサを電磁誘導式近接センサの近傍であって、且つ電磁誘導式近接センサと同じ姿勢で備えたので、電磁誘導式近接センサと異常検出用センサとが同じ条件で異常な電波を受けることができ、異常な電波が不正目的で電磁誘導式近接センサに照射されるという不正行為を確実に発見することができる。
【００７３】
第３発明によれば、払出収納部または前記払出装置には、前記異常検出用センサの検出部を露出させる露出開口を設け、可撓性係止片には、露出開口に進入可能な開口進入部を突設し、該開口進入部の少なくとも一部を前記被検出ダミー体で構成し、露出開口に開口進入部を進入させると、被検出ダミー体が異常検出用センサの検出部に臨むように構成したので、払出装置の払出収納部からの取り外し規制と、異常検出用センサにおける異常な電波の検出準備とを同時に行うことができ、遊技機の稼動準備操作を効率よく行うことができる。
【００７４】
第４発明によれば、異常判定手段は、非検出信号を受信したことに基づいて、異常な電波の照射または異常収納状態の発生を判定可能であるので、異常な電波の照射または払出装置の取付不良を簡単な構成で把握することができる。
【００７５】
第５発明によれば、異常判定手段は、非検出信号を予め設定された非検出期間以上継続して受信したことに基づいて、異常な電波の照射または異常収納状態の発生を判定可能であるので、払い出された遊技球などによって発生する内的ノイズや遊技機の外部からの外的ノイズに基づいて、異常判定手段が非検出信号と同じ信号を受信したとしても、異常な状態（異常な電波の照射または払出装置の取付不良）が発生したと誤判定してしまうことを防止することができる。
【００７６】
第６発明によれば、異常判定手段は、少なくとも遊技機の電源投入直後において異常検出用センサから非検出信号を受信した場合には、前記異常収納状態が発生したと判定する一方、少なくとも払出装置による遊技球の払出動作の実行中において前記異常検出用センサから非検出信号を受信した場合には、異常な電波が電磁誘導式近接センサに照射されたと判定するので、非検出信号を異ならせずに、異常な電波が電磁誘導式近接センサに照射されているのか、あるいは払出装置の取付不良が発生しているのかを判定することができ、異常検出用センサの出力仕様が複雑になることを避けることができる。
【００７７】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【符号の説明】
【００７８】
１  パチンコ遊技機
３  前面枠
６  遊技盤
１１  上皿ユニット
１１ａ  導出口
１２  下皿ユニット
１８  裏機構盤
２１  球貯留ユニット
２２  球払出ユニット
２５  払出制御装置
４９  遊技制御装置
５２  ユニットベース
５４  流下切換装置
５６  払出収納部
５７  払出装置
５８  払出流下路
５９  ユニットカバー
６２  収納空間部
６３  払出挿脱口
６５  上部ロック片
６６  側部ロック片
７２  球払出通路
７３  スプロケット
７４  電磁誘導式近接センサ
７４ａ  検出部
７４ｂ  スルーホール
７６  払出モータ
８０  異常検出機構
８１  異常検出用センサ
８１ａ  検出部
８１ｂ  スルーホール
８２  可撓性係止片
８２ａ  係止操作部
８６  被検出ダミー体
８７  露出開口
８９  開口進入部
１２５  出力状態判定回路
１３０  露出開口
【図１】
0005491591.tif 000002
【図２】
0005491591.tif 000003
【図３】
0005491591.tif 000004
【図４】
0005491591.tif 000005
【図５】
0005491591.tif 000006
【図６】
0005491591.tif 000007
【図７】
0005491591.tif 000008
【図８】
0005491591.tif 000009
【図９】
0005491591.tif 000010
【図１０】
0005491591.tif 000011
【図１１】
0005491591.tif 000012
【図１２】
0005491591.tif 000013
【図１３】
0005491591.tif 000014
【図１４】
0005491591.tif 000015
【図１５】
0005491591.tif 000016